(57)【特許請求の範囲】
【請求項１】
光ディスクの信号記録層にビーム光を照射することによって上記信号記録層に対する信号の読取及び／又は記録を行う光学ピックアップ装置であって、
上記信号記録層にビーム光を照射する対物レンズと、
上記対物レンズを支持するレンズホルダと、
レンズホルダのディスク側端面、すなわち、光ディスクに対向する端面に形成されたコーティング層とを備え、
上記コーティング層は、上記光ディスクより柔らかく且つ滑り性を有する材料で形成されると共に上記対物レンズより光ディスク側に突出し、
上記コーティング層はレンズホルダのディスク側端面のうち光ディスクの回転に対して対物レンズの上流側に位置する部分を除いた部分に位置している
ことを特徴とする光学ピックアップ装置。
【請求項２】
上記コーティング層はレンズホルダのディスク側端面のうち光ディスクの回転に対して対物レンズの上流側及び下流側に位置する部分を除いた部分に位置している
ことを特徴とする請求項１に記載の光学ピックアップ装置。
【請求項３】
上記コーティング層の主成分がフッ素系樹脂である
ことを特徴とする請求項１に記載の光学ピックアップ装置。
【請求項４】
上記コーティング層の主成分がフッ素系樹脂である
ことを特徴とする請求項２に記載の光学ピックアップ装置。
【請求項５】
直径約１２０ｍｍ、厚さ約１．２ｍｍでそのうち信号記録層を覆う保護層の厚さ約１００μｍの光ディスクに対する信号の読取及び／又は記録に使用され、フォーカスサーボがかかっている状態での対物レンズとディスク表面との間の間隔が約１５０μｍ、コーティング層とディスク表面との間の間隔が約１２０μｍである
ことを特徴とする請求項１に記載の光学ピックアップ装置。
【請求項６】
光ディスクの信号記録層にビーム光を照射することによって上記信号記録層に対する信号の読取及び／又は記録を行う光学ピックアップ装置であって、
上記信号記録層にビーム光を照射する対物レンズと、
上記対物レンズを支持するレンズホルダと、
上記対物レンズの周囲を囲むようにレンズホルダに設けられたレンズプロテクタと、
レンズプロテクタのディスク側端面、すなわち、光ディスクに対向する端面に形成されたコーティング層とを備え、
上記コーティング層は、上記光ディスクより柔らかく且つ滑り性を有する材料で形成されると共に上記対物レンズより光ディスク側に突出し、
上記コーティング層はレンズプロテクタのディスク側端面のうち光ディスクの回転に対して対物レンズの上流側に位置する部分を除いた部分に位置している
ことを特徴とする光学ピックアップ装置。
【請求項７】
光ディスクを回転させるディスク回転装置と回転している上記光ディスクの信号記録層にビーム光を照射することによって上記信号記録層に対する信号の読取及び／又は記録を行う光学ピックアップ装置とを備えたディスクドライブ装置であって、
上記光学ピックアップ装置は、上記信号記録層にビーム光を照射する対物レンズと、上記対物レンズを支持するレンズホルダと、レンズホルダのディスク側端面、すなわち、光ディスクに対向する端面に形成されたコーティング層とを備え、
上記コーティング層は、上記光ディスクより柔らかく且つ滑り性を有する材料で形成されると共に上記対物レンズより光ディスク側に突出し、
上記コーティング層はレンズホルダのディスク側端面のうち光ディスクの回転に対して対物レンズの上流側に位置する部分を除いた部分に位置している
ことを特徴とするディスクドライブ装置。
【請求項８】
光ディスクを回転させるディスク回転装置と回転している上記光ディスクの信号記録層にビーム光を照射することによって上記信号記録層に対する信号の読取及び／又は記録を行う光学ピックアップ装置とを備えたディスクドライブ装置であって、
上記光学ピックアップ装置は、上記信号記録層にビーム光を照射する対物レンズと、上記対物レンズを支持するレンズホルダと、上記対物レンズの周囲を囲むようにレンズホルダに設けられたレンズプロテクタと、レンズプロテクタのディスク側端面、すなわち、光ディスクに対向する端面に形成されたコーティング層とを備え、
上記コーティング層は、上記光ディスクより柔らかく且つ滑り性を有する材料で形成されると共に上記対物レンズより光ディスク側に突出し、
上記コーティング層はレンズプロテクタのディスク側端面のうち光ディスクの回転に対して対物レンズの上流側に位置する部分を除いた部分に位置している
ことを特徴とするディスクドライブ装置。
【発明の詳細な説明】
【０００１】
【発明の属する技術分野】
本発明は新規な光学ピックアップ装置及びディスクドライブ装置に関する。詳しくは、光ディスクと対物レンズとの衝突を避けると共に光ディスクの信号記録層の損傷の防止乃至軽減を図る技術に関する。
【０００２】
【従来の技術】
大容量の情報記録媒体として、ＣＤ−ＲＯＭ(Compact Disk Read Only Memory)、ＣＤ−Ｒ(Compact Disk Recordable)、ＣＤ−ＲＷ(Compact Disk Rewritable)、ＤＶＤ−ＲＯＭ(Digital Versatile Disk Read Only Memory)、ＤＶＤ−ＲＷ(Digital Versatile Disk Rewritable)等の光学読取式のディスクや、光磁気ディスク、相変化型ディスク等、種々の光ディスクがある。
【０００３】
上記した光ディスクに対する記録及び／又は再生を為すディスクドライブ装置にあっては、光ディスクの信号記録層にビーム光の焦点を結び続けるためのフォーカスサーボが用いられるが、フォーカスサーボが外れると、ビーム光を光ディスクの信号記録層に合焦させている対物レンズと光ディスクとが衝突して光ディスクや対物レンズが損傷を受け、信号の記録や再生が不能になってしまう惧がある。
【０００４】
そこで、従来にあっては、対物レンズを保持しているレンズホルダの光ディスクに対向した面に不織布やフェルト等の緩衝性を有する材料から成る緩衝材を配置し、フォーカスサーボが外れた場合には、光ディスクが対物レンズに衝突する前に上記緩衝材に衝突することによって、対物レンズが光ディスクに衝突することを回避すると共に光ディスクが傷つくのを防止する試みが為されている。
【０００５】
【発明が解決しようとする課題】
ところで、上記した従来のディスクドライブ装置にあっては、緩衝材から糸くず等のゴミが擦り取られて装置内に飛散し、故障の原因になったりするという問題がある。
【０００６】
また、近年、光ディスクの大容量、高密度化に伴って、ワークスペース、すなわち、フォーカスサーボがかかっている状態での対物レンズとディスク表面との間の間隔が狭くなってきており、対物レンズと光ディスクとの衝突の危険性が増大してきている。
【０００７】
そして、大容量、高密度化に伴って、光ディスクの信号記録層を覆っている保護層の厚みが薄くなってきており、このため、光ディスクと対物レンズとの衝突によって、光ディスクの信号記録層が傷つきやすくなってきているという問題もある。
【０００８】
そこで、本発明は、光ディスクと対物レンズとの衝突を避けると共に光ディスクの信号記録層の損傷を防止乃至軽減することを課題とする。
【０００９】
【課題を解決するための手段】
本発明光学ピックアップ装置は、上記した課題を解決するために、光ディスクの信号記録層にビーム光を照射する対物レンズと、上記対物レンズを支持するレンズホルダと、レンズホルダのディスク側端面、すなわち、光ディスクに対向する端面に形成されたコーティング層とを備え、上記コーティング層は、上記光ディスクより柔らかく且つ滑り性を有する材料で形成されると共に上記対物レンズより光ディスク側に突出し、上記コーティング層はレンズホルダのディスク側端面のうち光ディスクの回転に対して対物レンズの上流側に位置する部分を除いた部分に位置しているものである。
【００１０】
従って、本発明光学ピックアップ装置にあっては、フォーカスサーボが外れて光ディスクと対物レンズが接近することがあっても、光ディスクは対物レンズと衝突する前にコーティング層と接触するので、光ディスクと対物レンズとの衝突を回避することが出来る。
【００１１】
また、光ディスクはコーティング層と接触するが、該コーティング層は光ディスクより柔らかく且つ滑り性が良好である材料で形成されているので、光ディスクの損傷は軽微なもので済む。
【００１２】
別の本発明光学ピックアップ装置は、上記した課題を解決するために、光ディスクの信号記録層にビーム光を照射する対物レンズと、上記対物レンズを支持するレンズホルダと、上記対物レンズの周囲を囲むようにレンズホルダに設けられたレンズプロテクタと、レンズプロテクタのディスク側端面、すなわち、光ディスクに対向する端面に形成されたコーティング層とを備え、上記コーティング層は、上記光ディスクより柔らかく且つ滑り性を有する材料で形成されると共に上記対物レンズより光ディスク側に突出し、上記コーティング層はレンズプロテクタのディスク側端面のうち光ディスクの回転に対して対物レンズの上流側に位置する部分を除いた部分に位置しているものである。
【００１３】
従って、別の本発明光学ピックアップ装置にあっては、フォーカスサーボが外れて光ディスクと対物レンズが接近することがあっても、光ディスクは対物レンズと衝突する前にコーティング層と接触するので、光ディスクと対物レンズとの衝突を回避することが出来る。
【００１４】
また、光ディスクはコーティング層と接触するが、該コーティング層は光ディスクより柔らかく且つ滑り性が良好である材料で形成されているので、光ディスクの損傷は軽微なもので済む。
【００１７】
また、光ディスクは対物レンズ保護面と面接触するため、光ディスクの損傷は軽微なもので済む。
【００１８】
本発明ディスクドライブ装置は、上記した課題を解決するために、ディスク回転装置によって回転されている光ディスクの信号記録層にビーム光を照射することによって上記信号記録層に対する信号の読取及び／又は記録を行う光学ピックアップ装置を備え、該光学ピックアップ装置は、上記信号記録層にビーム光を照射する対物レンズと、上記対物レンズを支持するレンズホルダと、レンズホルダのディスク側端面、すなわち、光ディスクに対向する端面に形成されたコーティング層とを備え、上記コーティング層は、上記光ディスクより柔らかく且つ滑り性を有する材料で形成されると共に上記対物レンズより光ディスク側に突出し、上記コーティング層はレンズホルダのディスク側端面のうち光ディスクの回転に対して対物レンズの上流側に位置する部分を除いた部分に位置しているものである。
【００１９】
従って、本発明ディスクドライブ装置にあっては、フォーカスサーボが外れて光ディスクと対物レンズが接近することがあっても、光ディスクは対物レンズと衝突する前にコーティング層と接触するので、光ディスクと対物レンズとの衝突を回避することが出来る。
【００２０】
また、光ディスクはコーティング層と接触するが、該コーティング層は光ディスクより柔らかく且つ滑り性が良好である材料で形成されているので、光ディスクの損傷は軽微なもので済む。
【００２１】
また、別の本発明ディスクドライブ装置は、上記した課題を解決するために、ディスク回転装置によって回転されている光ディスクの信号記録層にビーム光を照射することによって上記信号記録層に対する信号の読取及び／又は記録を行う光学ピックアップ装置を備え、該光学ピックアップ装置は、上記信号記録層にビーム光を照射する対物レンズと、上記対物レンズを支持するレンズホルダと、上記対物レンズの周囲を囲むようにレンズホルダに設けられたレンズプロテクタと、レンズプロテクタのディスク側端面、すなわち、光ディスクに対向する端面に形成されたコーティング層とを備え、上記コーティング層は、上記光ディスクより柔らかく且つ滑り性を有する材料で形成されると共に上記対物レンズより光ディスク側に突出し、上記コーティング層はレンズプロテクタのディスク側端面のうち光ディスクの回転に対して対物レンズの上流側に位置する部分を除いた部分に位置しているものである。
【００２２】
従って、別の本発明ディスクドライブ装置にあっては、フォーカスサーボが外れて光ディスクと対物レンズが接近することがあっても、光ディスクは対物レンズと衝突する前にコーティング層と接触するので、光ディスクと対物レンズとの衝突を回避することが出来る。
【００２３】
また、光ディスクはコーティング層と接触するが、該コーティング層は光ディスクより柔らかく且つ滑り性が良好である材料で形成されているので、光ディスクの損傷は軽微なもので済む。
【００２７】
【発明の実施の形態】
以下に、本発明光学ピックアップ装置及びディスクドライブ装置の実施の形態について添付図面を参照して説明する。
【００２８】
図１はディスクドライブ装置１の実施の形態を概略的に示すものである。該ディスクドライブ装置１は光ディスク２に対する信号の記録及び／又は再生を行うものであり、ディスク回転装置３及び光学ピックアップ装置４を備えている。
【００２９】
なお、光ディスク２としては、ＣＤ−ＲＯＭ(Compact Disk Read Only Memory)、ＣＤ−Ｒ(Compact Disk Recordable)、ＣＤ−ＲＷ(Compact Disk Rewritable)、ＤＶＤ−ＲＯＭ(Digital Versatile Disk Read Only Memory)、ＤＶＤ−ＲＷ(Digital Versatile Disk Rewritable)等の光学読取式のディスクや、光磁気ディスク、相変化型ディスク等、種々の光ディスクを挙げることができ、本発明において記録の方式や大きさを問うものではない。
【００３０】
また、ディスクドライブ装置１には、再生又は記録専用の装置の他、再生及び記録の両方が可能な装置が含まれ、その使用形態において据え置き用、携帯用の如何を問うものではない。
【００３１】
そして、上記ディスクドライブ装置１にあっては、光ディスク２はディスク回転装置３によって回転され、回転中の光ディスク２の半径方向に移動する光学ピックアップ装置４によって光ディスク２に対する信号の記録及び／又は読取がなされるようになっている。
【００３２】
ディスク回転装置３はシャーシ５上に配置されたスピンドルモータ６と該スピンドルモータ６によって回転されるターンテーブル７とを備え、光ディスク２は上記ターンテーブル７上に保持された状態で回転される。
【００３３】
光学ピックアップ装置４はスライドベース８上に構成されており、スライドベース８は、シャーシ５に設けられたガイド軸９と送りネジ１０とによって上記ターンテーブル７に保持された光ディスク２の半径方向に移動自在にされている。すなわち、スライドベース８の一端部８ａはガイド軸９に摺動自在に係合され、スライドベース８の他端部８ｂは送りネジ１０に螺合されている。そして、送りネジ１０は送りモータ１１によって回転され、送りネジ１０が回転することによって、スライドベース８の他端部８ｂが送りネジ１０の軸方向、すなわち、ターンテーブル７上の光ディスク２の半径方向に送られるので、スライドベース８の一端部８ａも同方向にスライドされ、この結果、光学ピックアップ装置４はターンテーブル７上の光ディスク２の半径方向に移動することになる。
【００３４】
なお、図１には光学ピックアップ装置４をターンテーブル７上の光ディスク２の半径方向に送る機構の一例を示したもので、光学ピックアップ装置４をターンテーブル７上の光ディスク２の半径方向に送る機構が図１に示すものに限定されるものではない。
【００３５】
図２に光学ピックアップ装置４の構成の概略を示す。
【００３６】
光学ピックアップ装置４は、レーザ光源１２、例えば、半導体レーザと、光検出器１３と、ビームスプリッタ１４と、立ち上げミラー１５と、対物レンズ１６とを備える。
【００３７】
そして、レーザ光源１２から出力されたレーザ光１７はビームスプリッタ１４を透過して立ち上げミラー１５によって光路を９０゜立ち上げられ対物レンズ１６によって光ディスク２の信号記録層２ａに集光され、光ディスク２の信号記録層２ａによって反射された反射レーザ光１８が対物レンズ１６、立ち上げミラー１５を介してビームスプリッタ１４によって反射されて光検出器１３によって受光される。そして、光検出器１３による上記反射レーザ光１８の受光によって、フォーカスエラー信号及びトラッキングエラー信号が得られ、また、再生時には再生信号が得られる。そして、再生信号を処理することによって、光ディスク２の信号記録層２ａに記録されている信号の読取（再生）が為される。
【００３８】
上記した対物レンズ１６は２軸アクチュエータ１９によってフォーカシング方向、すなわち、ターンテーブル７に保持された光ディスク２の信号記録層２ａに対して離接する方向及びトラッキング方向、すなわち、ターンテーブル７に保持された光ディスク２の信号記録層２ａと平行な方向に移動制御可能に支持されている。
【００３９】
２軸アクチュエータ１９は可動部２０を備え、該可動部２０にレンズホルダ２１を介して対物レンズ１６が支持されている。上記可動部２０はスライドベース８に対して固定的な支持部２２に細い弾性を有する線材からなるサスペンション２３、２３、・・・を介してフォーカシング方向（図２中矢印Ｆ参照）及びトラッキング方向（図２中矢印Ｔ参照）に移動自在に支持されている。そして、２軸アクチュエータ１９には図示しない磁気回路が形成されており、上記光検出器１３から得られるフォーカシングエラー信号及びトラッキングエラー信号に基づいて上記磁気回路が駆動され、それによって、可動部２０が上記フォーカシング方向及びトラッキング方向に微動され、対物レンズ１６によって光ディスク２の信号記録層２ａに照射されるレーザ光１７が上記信号記録層２ａに形成された記録トラック又は案内用グルーブをなぞり、且つ、記録トラック又は案内用グルーブ上に焦点を結ぶように制御される。
【００４０】
なお、図２に示した光学ピックアップ４の構成は、基本構成を示したものであり、種々の変更が可能である。例えば、レーザ光源１２と光検出器１３を別個に設ける替わりに、レーザ光源と光検出器が一体にパッケージされたレーザカプラを使用したり、レーザ光源から光ディスクを経て光検出器に至る光路中に上記した以外の光学素子を介在させる等の変更が可能である。
【００４１】
本発明は対物レンズ１６を保持するレンズホルダ２１に特徴を有する。
【００４２】
図３及び図４は第１の実施の形態を示すものである。
【００４３】
レンズホルダ２１は合成樹脂、例えば、ＡＢＳ樹脂で形成され、ほぼ円筒状をしている。そして、レンズホルダ２１の中心孔２１ａに対物レンズ１６が保持されている。対物レンズ１６は開口径を大きくするために、いわゆる前玉１６ａと後玉１６ｂとから成る２枚構成とされている（図４参照）。
【００４４】
そして、レンズホルダ２１のディスク側端面、すなわち、光ディスクに対向する端面２１ｂにコーティング層２４が形成されている。該コーティング層２４は光ディスク２より柔らかく且つ滑り性が良好である材料で形成されている。かかるコーティング層を形成するためのコーティング材としては、例えば、フッ素系樹脂を主成分とするフッ素樹脂系のコーティング材が考えられる。そして、コーティング層２４は対物レンズ１６の前玉１６ａよりも光ディスク２側に突出した状態とされている。
【００４５】
上記第１の実施の形態にあっては、レンズホルダ２１のディスク側端面２１ｂに形成されたコーティング層２４が対物レンズ１６より光ディスク２側に突出しているので、フォーカスサーボが外れた場合、対物レンズ１６が光ディスク２に衝突する前に、コーティング層２４が光ディスク２に衝突するので、対物レンズ１６が損傷されることが無く、また、光ディスク２は、光ディスク２より柔らかく且つ滑り性の良好な材料から成るコーティング層２４と衝突するため、光ディスク２も傷つき難く、衝突により信号の読取が不能となる危険性を減少させることが出来る。
【００４６】
図５は本発明の第２の実施の形態を示すものである。
【００４７】
この第２の実施の形態にかかるレンズホルダ２１Ａは、ディスク側端面２１ｂのうち光ディスク２の回転（回転方向を矢印Ｒで示す）に対して対物レンズ１６の上流側に位置する部分２１ｃ（以下、「段差面」という。）を除いた部分に上記コーティング層２４が形成される。そして、コーティング層２４は対物レンズ１６の前玉１６ａよりも光ディスク２側に突出した状態とされている。
【００４８】
上記段差面２１ｃを形成した意味を以下に図６及び図７によって説明する。
【００４９】
段差面２１ｃを有しないもの、すなわち、図４及び図５に示した第１の実施の形態にかかるもの２１において、コーティング層２４のうち、光ディスク２の回転に対して対物レンズ１６の上流側に位置している部分にゴミ等（光ディスク２がコーティング層２４と衝突すること等によって生じる光ディスク２やコーティング層２４の削れかすやゴミ）２５、２５、・・・が存在している場合（図６（ａ）参照）、フォーカスサーボが外れて、光ディスク２が対物レンズ１６に接近してくると、光ディスク２がコーティング層２４に衝突し、コーティング層２４の上にあったゴミ等２５、２５、・・・を光ディスク２の回転の下流側に吹き飛ばすことになる。そして、ゴミ等２５、２５、・・・が存在していた位置が対物レンズ１６より光ディスク２寄りに位置しているので、上記吹き飛ばされたゴミ等２５、２５、・・・が対物レンズ１６の上に載ってしまい（図６（ｂ）参照）、該ゴミ等２５、２５、・・・が対物レンズ１６を透過して行くレーザ光１７を遮蔽してしまい（図６（ｃ）参照）、信号の読取及び／又は記録に支障を来してしまうことになる。
【００５０】
ところが、第２の実施の形態に示すもののように、光ディスク２の回転に対して対物レンズ１６の上流側に相当する部分に段差面２１ｃを有すると、該段差面２１ｃはコーティング層２４より光ディスク２から遠い位置にあるので、該段差面２１ｃ上にゴミ等２５、２５、・・・が載っていて（図７（ａ）参照）、フォーカスサーボが外れて、光ディスク２が対物レンズ１６に接近して来てコーティング層２４に衝突しても、ゴミ等２５、２５、・・・が位置している段差面２１ｃはコーティング層２４より光ディスク２から遠い位置にあるので、該ゴミ等２５、２５、・・・は光ディスク２の回転の下流側に吹き飛ばされることはなく（図７（ｂ）参照）、従って、上記ゴミ等２５、２５、・・・が対物レンズ１６を透過して行くレーザ光１７を遮蔽してしまうことがない（図７（ｃ）参照）。
【００５１】
図８は第２の実施の形態の変形例を示すものである。
【００５２】
この変形例にかかるレンズホルダ２１Ａ′にあっては、ディスク側端面のうち光ディスク２の回転に対して対物レンズ１６より上流側に位置する部分２１ｃ′を他の部分より光ディスク２から遠い位置にある段差面としておき、コーティング層２４はレンズホルダ２１Ａ′のディスク側端面の全体に形成する。すると、コーティング層２４のうち上記段差面２１ｃ′に形成されたもの２４ａは他の部分に形成されたものより光ディスク２から遠い位置に位置することになる。これによって、第２の実施の形態にかかるレンズホルダ２１Ａと同様の効果を奏することになる。
【００５３】
また、この変形例においては、コーティング層２４を部分的に設けるためのマスキングが必要でなく、コーティング層２４の形成作業が容易になる。
【００５４】
図９は第３の実施の形態を示すものである。
【００５５】
この第３の実施の形態にかかるレンズホルダ２１Ｂは、ディスク側端面２１ｂのうち光ディスク２の回転（回転方向を矢印Ｒで示す）に対して対物レンズ１６の上流側に位置する部分２１ｃ（段差面）及び下流側に位置する部分２１ｄ(以下、「下流側段差面」という。)を除いた部分に上記コーティング層２４、２４が形成される。そして、コーティング層２４、２４は対物レンズ１６の前玉１６ａよりも光ディスク２側に突出した状態とされている。
【００５６】
この第３の実施の形態にかかるレンズホルダ２１Ｂにおいて、上流側の段差面２１ｃは上記第２の実施の形態におけると同様の効果を奏するが、下流側の段差面２１ｄは特に特別の機能を有するものではない。しかしながら、レンズホルダ２１Ｂのディスク側端面２１ｂにコーティング層２４を部分的に形成する場合には通常マスキング技術を応用するが、上流側段差面２１ｃと対物レンズ１６を覆うマスキング２６（図１０（ａ）の斜線部参照）を施すよりも、上流側段差面２１ｃから対物レンズ１６を経て下流側段差面２１ｄに至るマスキング２７（図１０（ｂ）の斜線部参照）を施す方が精度が緩やかで済み、コーティング層２４の形成コストを安価にすることが出来る。また、コーティング材の使用量も少なくて済む。そして、コーティング層２４、２４が光ディスク２と対物レンズ１６との衝突を避けると共に、衝突時の光ディスク２の損傷を軽微なものとする効果においては第１の実施の形態や第２の実施の形態かかるものと全く差異がない。
【００５７】
図１１は第３の実施の形態の変形例を示すものである。
【００５８】
この変形例にかかるレンズホルダ２１Ｂ′にあっては、ディスク側端面のうち光ディスク２の回転に対して対物レンズ１６より上流側に位置する部分２１ｃ′（段差面）及び下流側に位置する部分２１ｄ′(以下、「下流側段差面」という。)を他の部分より光ディスク２から遠い位置にある段差面としておき、コーティング層２４はレンズホルダ２１Ｂ′のディスク側端面の全体に形成する。すると、コーティング層２４のうち上記段差面２１ｃ′、２１ｄ′に形成されたもの２４ａ、２４ａは他の部分に形成されたものより光ディスク２から遠い位置に位置することになる。これによって、第３の実施の形態にかかるレンズホルダ２１Ｂと同様の効果を奏することになる。
【００５９】
また、この変形例においては、コーティング層２４を部分的に設けるためのマスキングが必要でなく、コーティング層２４の形成作業が容易になる。
【００６０】
図１２及び図１３は本発明の第４の実施の形態の元となるレンズホルダを示すものである。
【００６１】
レンズホルダ２１Ｘはホルダ本体２８とレンズプロテクタ２９とから成る。
【００６２】
ホルダ本体２８は大径部２８ａと該大径部２８ａの上側に連続する小径部２８ｂとから成り、小径部２８ｂの外形は円形を為している。そして、ホルダ本体２８の中心部を貫通した中心孔２８ｃには対物レンズ１６（前玉１６ａ及び後玉１６ｂ）が支持されている。
【００６３】
レンズプロテクタ２９は円環状を為しており、内径はホルダ本体２８の小径部２８ｂの外径より僅かに大きくされている。該レンズプロテクタ２９はホルダ本体２８にその小径部２８ｂに外嵌された状態で接着等によって固定されている。そして、レンズプロテクタ２９がホルダ本体２８に固定された状態において、レンズプロテクタ２９のディスク側端面２９ａは対物レンズ１６（具体的には、前玉１６ａのディスク側端面）より光ディスク２側に突出している。
【００６４】
上記した構造を採用し、且つ、レンズプロテクタ２９をフッ素系樹脂で形成したレンズホルダ２１Ｘを使用することによって、従来に比べて格段の耐衝突特性の改善が見られる。すなわち、従来のものにあっては、光ディスクと対物レンズとを１０００回衝突させた後の信号の読取エラー数を測定すると、信号の読取が殆ど不能であったが、レンズプロテクタ２９をフッ素系樹脂で形成したものにあっては、信号の読取エラーはあったものの、読取不能になることはなかった。なお、衝突後における信号の読取エラー数の測定に関しては後で詳細に説明する。
【００６５】
図１４及び図１５は第４の実施の形態を示すものである。
【００６６】
第４の実施の形態にかかるレンズホルダ２１Ｃは、基本的に図１２及び図１３に示す構造を有しており、レンズプロテクタ２９のディスク側端面２９ａにコーティング層３０が形成されている。該コーティング層３０は光ディスク２より柔らかく且つ滑り性が良好である材料で形成されている。かかるコーティング層３０を形成するためのコーティング材としては、例えば、フッ素系樹脂を主成分とするフッ素樹脂系のコーティング材が考えられる。そして、コーティング層３０は対物レンズ１６の前玉１６ａよりも光ディスク２側に突出した状態とされている。
【００６７】
なお、図１２及び図１３に示したレンズホルダ２１Ｘにおいてはレンズプロテクタ２９のディスク側端面２９ａが対物レンズ１６の前玉１６ａよりも光ディスク２側に突出した状態とされたが、この第４の実施の形態にかかるレンズホルダ２１Ｃにあっては、レンズプロテクタ２９のディスク側端面２９ａが対物レンズ１６の前玉１６ａよりも光ディスク２側に突出している必要はなく、該ディスク側端面２９ａに形成されたコーティング層３０が対物レンズ１６の前玉１６ａよりも光ディスク２側に突出した状態とされていればよい。
【００６８】
上記第４の実施の形態にあっては、レンズホルダ２１Ｃのレンズプロテクタ２９のディスク側端面２９ａに形成されたコーティング層３０が対物レンズ１６より光ディスク２側に突出しているので、フォーカスサーボが外れた場合、対物レンズ１６が光ディスク２に衝突する前に、コーティング層３０が光ディスク２に衝突するので、対物レンズ１６が損傷されることが無く、また、光ディスク２は、光ディスク２より柔らかく且つ滑り性の良好な材料から成るコーティング層３０と衝突するため、光ディスク２も傷つき難く、衝突により信号の読取が不能となる危険性を減少させることが出来る。
【００６９】
図１６は第５の実施の形態を示すものである。
【００７０】
この第５の実施の形態にかかるレンズホルダ２１Ｄは、レンズプロテクタ２９のディスク側端面２９ａのうち光ディスク２の回転（回転方向を矢印Ｒで示す）に対して対物レンズ１６の上流側に位置する部分２９ｂ（以下、「段差面」という。）を除いた部分に上記コーティング層３０が形成される。そして、コーティング層３０は対物レンズ１６よりも光ディスク２側に突出した状態とされている。
【００７１】
上記段差面２９ｂを形成した意味は図６及び図７によって先に説明したことと同様である。
【００７２】
すなわち、光ディスク２の回転に対して対物レンズ１６の上流側に相当する部分に段差面２９ｂを有すると、該段差面２９ｂはコーティング層３０より光ディスク２から遠い位置にあるので、該段差面２９ｂ上にゴミ等が載っている状態で、フォーカスサーボが外れて、光ディスク２が対物レンズ１６に接近して来てコーティング層３０に衝突しても、ゴミ等が位置している段差面２９ｂはコーティング層３０より光ディスク２から遠い位置にあるので、該ゴミ等は光ディスク２の回転の下流側に吹き飛ばされることはなく、従って、上記ゴミ等が対物レンズ１６を透過して行くレーザ光１７を遮蔽してしまうことがない。
【００７３】
図１７は第６の実施の形態を示すものである。
【００７４】
この第６の実施の形態にかかるレンズホルダ２１Ｅは、レンズプロテクタ２９のディスク側端面２９ａのうち光ディスク２の回転（回転方向を矢印Ｒで示す）に対して対物レンズ１６の上流側に位置する部分２９ｂ（段差面）及び下流側に位置する部分２９ｃ（下流側段差面）を除いた部分に上記コーティング層３０、３０が形成される。そして、コーティング層３０、３０は対物レンズ１６よりも光ディスク２側に突出した状態とされている。
【００７５】
この第６の実施の形態にかかるレンズホルダ２１Ｅは、上記した第３の実施の形態にかかるレンズホルダ２１Ｂと同様の効果を奏する。
【００７６】
次ぎに、図１２及び図１３に示した構造を有し、レンズプロテクタ２９をそれぞれＦＬ３０９３（ＮＴＮ株式会社製フッ素系樹脂の製品名）で形成したもの（サンプル１）、ＦＥ５０００（ＮＴＮ株式会社製フッ素系樹脂の製品名）で形成したもの（サンプル２）及び第４の実施の形態の構造を有しレンズプロテクタ２９をＡＢＳ樹脂で形成し、フッ素系樹脂を主成分とするコーティング層３０を形成したもの（サンプル３）を用意し、光ディスク２をそれぞれのサンプルと衝突させた後の信号読取エラーの数を測定した結果を図１８乃至図２０に示す。
【００７７】
上記測定の詳細を説明すると、使用した光ディスクは約直径１２０ｍｍ、厚さ約１．２ｍｍ（うち保護層２ｂの厚さ約１００μｍ）の形状を有する高密度記録の光ディスクであり、フォーカスサーボがかかっている状態での対物レンズと光ディスクの表面２ｃとの間の間隔（ワークスペース）が約１５０μｍ、光ディスク２の表面２ｃとレンズプロテクタ２９（又はレンズプロテクタ２９に形成されたコーティング層３０）との間の間隔が約１２０μｍ、レンズプロテクタ２９のディスク側端面（又はコーティング層３０のディスク側端面）と対物レンズ１６との間の間隔が約３０μｍとして信号の読取を行った（図１５参照）。
【００７８】
そして、サンプル１及びサンプル２については１，０００回衝突させた後に、サンプル１については第２７０００番トラックから第２８０００番トラックの間の奇数トラックについて１トラック当たり何個の信号読取エラーがあったかを、また、サンプル２については第１９０００番トラックから第２００００番トラックまでの間の奇数トラックについて１トラック当たり何個の信号読取エラーがあったかを、サンプル３については２，０００回衝突させた後に第６２０００番トラックから第６３０００番トラックまでの間の奇数トラックについて１トラック当たり何個の信号読取エラーがあったかを、それぞれ測定したものである。なお、１回衝突させると、光ディスク２は約２４，０００トラック分の幅に亘って損傷を受ける。
【００７９】
そして、図１８から図２０の各図において横軸にトラックナンバーを、縦軸に信号の読取エラーの個数を示し、また、３．００Ｅ−０３のラインは仕様上許容される目標値を示す。なお、従来の光学ピックアップについて同様の測定を行った結果は、１，０００回の衝突後は信号の読取が全く不能であった。
【００８０】
サンプル１にあっては、図１８から分かるとおり、１トラック当たり最高で１２０００個以上の信号読取エラーがあったが、信号の読取が全く不能になることはなかった。
【００８１】
サンプル２にあっては、図１９から分かるとおり、殆どのトラックで目標値以下であり、目標値以上の信号読取エラーを起こすトラックは僅かであった。
【００８２】
サンプル３にあっては、図２０から分かるとおり、サンプル１及びサンプル２の２倍の衝突回数である２，０００回も衝突させた後でも、全てのトラックで信号読取エラーの回数が目標値を下回り、極めて良好な結果を得ることができた。
【００８３】
図２１及び図２２は本発明の第７の実施の形態を示すものである。
【００８４】
この第７の実施の形態にかかるレンズホルダ２１Ｆは、ディスク側端面２１ｂのうち光ディスク２の回転（回転方向を矢印Ｒで示す）に対して対物レンズ１６の上流側に位置する部分２１ｅ（以下、「段差面」という。）を除いた部分が、段差面２１ｅより光ディスク２に近づいて位置される対物レンズ保護面２１ｆとして形成されている。対物レンズ保護面２１ｆは対物レンズ１６の前玉１６ａよりも光ディスク２側に突出した状態とされている。
【００８５】
上記第７の実施の形態にあっては、レンズホルダ２１Ｆのディスク側端面２１ｂに形成された対物レンズ保護面２１ｆが対物レンズ１６より光ディスク２側に突出しているので、フォーカスサーボが外れた場合、対物レンズ１６が光ディスク２に衝突する前に対物レンズ保護面２１ｆが光ディスク２に衝突するため、対物レンズ１６が損傷されることが無い。
【００８６】
また、第７の実施の形態にあっては、光ディスク２が対物レンズ保護面２１ｆと面接触するため、光ディスク２の損傷を軽微なものとすることが出来る。
【００８７】
なお、レンズホルダ２１Ｆと光ディスク２との衝突による当該光ディスク２の損傷の軽減を図るために、対物レンズ保護面２１ｆを光ディスク２より柔らかく且つ滑り性の良好な材料によって形成してもよい。
【００８８】
上記段差面２１ｅを形成した意味は、上記した第２の実施の形態において図６及び図７によって説明したものと同様であり、段差面２１ｅは対物レンズ保護面２１ｆより光ディスク２から遠い位置にあるので、該段差面２１ｅ上にゴミ等２５、２５、・・・が載っていた場合に、フォーカスサーボが外れて光ディスク２が対物レンズ１６に接近して来て対物レンズ保護面２１ｆに衝突しても、該ゴミ等２５、２５、・・・は光ディスク２の回転の下流側に吹き飛ばされることはなく、ゴミ等２５、２５、・・・が対物レンズ１６を透過して行くレーザ光１７を遮蔽してしまうことがない。
【００８９】
レーザ光１７は対物レンズ１６の中心部を透過されるが、この場合の対物レンズ１６の光ディスク２側のレンズ面１６ｃにおけるレーザー光１７の透過領域Ｅ（１点鎖線で囲んだ領域）を図２１及び図２２に示す。
【００９０】
従って、フォーカスサーボが外れて光ディスク２が対物レンズ１６に接近して来てレンズホルダ２１Ｆに衝突したときに、対物レンズ保護面２１ｆに載っていたゴミ等２５、２５、・・・は光ディスク２の回転の下流側に吹き飛ばされる可能性があるが、段差面２１ｅに載っていたゴミ等２５、２５、・・・は光ディスク２の回転の下流側に吹き飛ばされることがないため、レンズホルダ２１Ｆの段差面２１ｅの内周側の端部の幅Ｗは、対物レンズ１６の直径Ｄ１より狭くすることが出来る。但し、対物レンズ保護面２１ｆに載っていたゴミ等２５、２５、・・・が光ディスク２の回転の下流側に吹き飛ばされたときに透過領域Ｅを遮蔽することがないようにするために、レンズホルダ２１Ｆの段差面２１ｅの内周側の端部の幅Ｗは、透過領域Ｅの直径Ｄ２より広くすることが望ましい。
【００９１】
なお、上記レンズホルダ２１Ｆの対物レンズ保護面２１ｆに、光ディスク２より柔らかく且つ滑り性が良好である材料、例えば、上記したフッ素系樹脂を主成分とするフッ素系樹脂のコーティング材から成るコーティング層を形成してもよい。
【００９２】
このようなコーティング層を対物レンズ保護面２１ｆに形成することにより、フォーカスサーボが外れたときに、光ディスク２は当該コーティング層と衝突するため、光ディスク２が傷つき難く、衝突により信号の読取が不能となる危険性を減少させることが出来る。
【００９３】
図２３及び図２４は本発明の第８の実施の形態を示すものである。
【００９４】
この第８の実施の形態にかかるレンズホルダ２１Ｇは、光ディスク２側に配置される略平板状を為す矩形状部３１と該矩形状部３１を挟んで光ディスク２の反対側に配置される円筒部３２とから成る。レンズホルダ２１Ｇは、矩形状部３１のディスク側端面３１ａのうち光ディスク２の回転（回転方向を矢印Ｒで示す）に対して対物レンズ１６の上流側に位置する部分３１ｂ、対物レンズ１６の下流側に位置する部分３１ｃ及び部分３１ｂと部分３１ｃに対して直交する位置にある部分３１ｄ、３１ｅ（以下、部分３１ｂ、３１ｃ、３１ｄ、３１ｅを「段差面」という。）を除いた４つに分離された部分が、段差面３１ｂ、３１ｃ、３１ｄ、３１ｅより光ディスク２に近づいて位置される対物レンズ保護面３１ｆ、３１ｆ、・・・として形成されている。対物レンズ保護面３１ｆ、３１ｆ、・・・は対物レンズ１６の前玉１６ａよりも光ディスク２側に突出した状態とされている。
【００９５】
上記第８の実施の形態にあっては、レンズホルダ２１Ｇのディスク側端面３１ａに形成された対物レンズ保護面３１ｆ、３１ｆ、・・・が対物レンズ１６より光ディスク２側に突出しているので、フォーカスサーボが外れた場合、対物レンズ１６が光ディスク２に衝突する前に対物レンズ保護面３１ｆ、３１ｆ、・・・の何れかが光ディスク２に衝突するため、対物レンズ１６が損傷されることが無い。
【００９６】
また、第８の実施の形態にあっては、光ディスク２が対物レンズ保護面３１ｆ、３１ｆ、・・・と面接触するため、光ディスク２の損傷を軽微なものとすることが出来る。
【００９７】
なお、レンズホルダ２１Ｇと光ディスク２との衝突による当該光ディスク２の損傷の軽減を図るために、対物レンズ保護面３１ｆ、３１ｆ、・・・を光ディスク２より柔らかく且つ滑り性の良好な材料によって形成してもよい。
【００９８】
上記段差面３１ｂを形成した意味は、上記した第７の実施の形態において説明したものと同様である。
【００９９】
また、レンズホルダ２１Ｇの段差面３１ｂの幅Ｗ′は、上記第７の実施の形態と同様の理由により、対物レンズ１６の直径Ｄ１より狭く、透過領域Ｅの直径Ｄ２より広くされている。
【０１００】
なお、上記レンズホルダ２１Ｇの対物レンズ保護面３１ｆ、３１ｆ、・・・に、光ディスク２より柔らかく且つ滑り性が良好である材料、例えば、上記したフッ素系樹脂を主成分とするフッ素系樹脂のコーティング材から成るコーティング層を形成してもよい。
【０１０１】
このようなコーティング層を対物レンズ保護面３１ｆ、３１ｆ、・・・に形成することにより、フォーカスサーボが外れたときに、光ディスク２は当該コーティング層と衝突するため、光ディスク２が傷つき難く、衝突により信号の読取が不能となる危険性を減少させることが出来る。
【０１０２】
この第８の実施の形態にかかるレンズホルダ２１Ｇにおいて、下流側の段差面３１ｃは特に特別の機能を有するものではない。しかしながら、部分的にコーティング層を形成する場合に、上記した第３の実施の形態にかかるレンズホルダ２１Ｂと同様に、マスキングを行う際の精度が緩やかで済み、コーティング層の形成コストを安価にすることが出来るという効果を奏する。
【０１０３】
なお、上記した各実施の形態において示した各部の具体的な形状は、何れも本発明を実施するに際して行う具体化のほんの一例を示したものに過ぎず、これらによって、本発明の技術的範囲が限定的に解釈されることがあってはならないものである。
【０１０４】
【発明の効果】
以上に記載したところから明らかなように、本発明光学ピックアップ装置は、光ディスクの信号記録層にビーム光を照射することによって上記信号記録層に対する信号の読取及び／又は記録を行う光学ピックアップ装置であって、上記信号記録層にビーム光を照射する対物レンズと、上記対物レンズを支持するレンズホルダと、レンズホルダのディスク側端面、すなわち、光ディスクに対向する端面に形成されたコーティング層とを備え、上記コーティング層は、上記光ディスクより柔らかく且つ滑り性を有する材料で形成されると共に上記対物レンズより光ディスク側に突出し、上記コーティング層はレンズホルダのディスク側端面のうち光ディスクの回転に対して対物レンズの上流側に位置する部分を除いた部分に位置していることを特徴とする。
【０１０５】
従って、本発明光学ピックアップ装置にあっては、フォーカスサーボが外れて光ディスクと対物レンズが接近することがあっても、光ディスクは対物レンズと衝突する前にコーティング層と接触するので、光ディスクと対物レンズとの衝突を回避することが出来る。
【０１０６】
また、光ディスクはコーティング層と接触するが、該コーティング層は光ディスクより柔らかく且つ滑り性を有する材料で形成されているので、光ディスクの損傷は軽微なもので済む。また、上記コーティング層はレンズホルダのディスク側端面のうち光ディスクの回転に対して対物レンズの上流側に位置する部分を除いた部分に位置しているので、レンズホルダのディスク側端面に付着していたゴミ等が光ディスクとの衝突によって対物レンズに付着してしまうことを回避することが出来る。
【０１０８】
請求項２に記載された発明にあっては、上記コーティング層はレンズホルダのディスク側端面のうち光ディスクの回転に対して対物レンズの上流側及び下流側に位置する部分を除いた部分に位置しているので、レンズホルダのディスク側端面に付着していたゴミ等が光ディスクとの衝突によって対物レンズに付着してしまうことを回避することが出来ると共に、コーティング層の形成が容易になり、且つ、コーティング層を形成する材料の使用量が少なくて済む。
【０１０９】
請求項３及び請求項４に記載された発明にあっては、上記コーティング層の主成分がフッ素系樹脂であるので、衝突によって光ディスクに与える損傷を極めて少なくすることが出来る。
【０１１０】
請求項５に記載された発明にあっては、直径約１２０ｍｍ、厚さ約１．２ｍｍでそのうち信号記録層を覆う保護層の厚さ約１００μｍの光ディスクに対する信号の読取及び／又は記録に使用され、フォーカスサーボがかかっている状態での対物レンズとディスク表面との間の間隔が約１５０μｍ、コーティング層とディスク表面との間の間隔が約１２０μｍであるので、信号の高密度の読取及び／又は記録が可能であり、高密度化に伴うワークスペースの狭小化による光ディスクとレンズホルダとの衝突の危険性の増大にもかかわらず、光ディスクの損傷を少なく抑えることが出来る。
【０１１１】
上記したところから明らかなように、別の本発明光学ピックアップ装置は、光ディスクの信号記録層にビーム光を照射することによって上記信号記録層に対する信号の読取及び／又は記録を行う光学ピックアップ装置であって、上記信号記録層にビーム光を照射する対物レンズと、上記対物レンズを支持するレンズホルダと、上記対物レンズの周囲を囲むようにレンズホルダに設けられたレンズプロテクタと、レンズプロテクタのディスク側端面、すなわち、光ディスクに対向する端面に形成されたコーティング層とを備え、上記コーティング層は、上記光ディスクより柔らかく且つ滑り性を有する材料で形成されると共に上記対物レンズより光ディスク側に突出し、上記コーティング層はレンズプロテクタのディスク側端面のうち光ディスクの回転に対して対物レンズの上流側に位置する部分を除いた部分に位置していることを特徴とする。
【０１１２】
従って、別の本発明光学ピックアップ装置にあっては、フォーカスサーボが外れて光ディスクと対物レンズが接近することがあっても、光ディスクは対物レンズと衝突する前にコーティング層と接触するので、光ディスクと対物レンズとの衝突を回避することが出来る。
【０１１３】
また、光ディスクはコーティング層と接触するが、該コーティング層は光ディスクより柔らかく且つ滑り性を有する材料で形成されているので、光ディスクの損傷は軽微なもので済む。また、上記コーティング層はレンズプロテクタのディスク側端面のうち光ディスクの回転に対して対物レンズの上流側に位置する部分を除いた部分に位置しているので、レンズプロテクタのディスク側端面に付着していたゴミ等が光ディスクとの衝突によって対物レンズに付着してしまうことを回避することが出来る。
【０１２２】
上記したところから明らかなように、本発明ディスクドライブ装置は、光ディスクを回転させるディスク回転装置と回転している上記光ディスクの信号記録層にビーム光を照射することによって上記信号記録層に対する信号の読取及び／又は記録を行う光学ピックアップ装置とを備えたディスクドライブ装置であって、上記光学ピックアップ装置は、上記信号記録層にビーム光を照射する対物レンズと、上記対物レンズを支持するレンズホルダと、レンズホルダのディスク側端面、すなわち、光ディスクに対向する端面に形成されたコーティング層とを備え、上記コーティング層は、上記光ディスクより柔らかく且つ滑り性を有する材料で形成されると共に上記対物レンズより光ディスク側に突出し、上記コーティング層はレンズホルダのディスク側端面のうち光ディスクの回転に対して対物レンズの上流側に位置する部分を除いた部分に位置していることを特徴とする。
【０１２３】
従って、本発明ディスクドライブ装置にあっては、フォーカスサーボが外れて光ディスクと対物レンズが接近することがあっても、光ディスクは対物レンズと衝突する前にコーティング層と接触するので、光ディスクと対物レンズとの衝突を回避することが出来る。
【０１２４】
また、光ディスクはコーティング層と接触するが、該コーティング層は光ディスクより柔らかく且つ滑り性を有する材料で形成されているので、光ディスクの損傷は軽微なもので済む。また、上記コーティング層はレンズホルダのディスク側端面のうち光ディスクの回転に対して対物レンズの上流側に位置する部分を除いた部分に位置しているので、レンズホルダのディスク側端面に付着していたゴミ等が光ディスクとの衝突によって対物レンズに付着してしまうことを回避することが出来る。
【０１２９】
以上に記載したところから明らかなように、別の本発明ディスクドライブ装置は、光ディスクを回転させるディスク回転装置と回転している上記光ディスクの信号記録層にビーム光を照射することによって上記信号記録層に対する信号の読取及び／又は記録を行う光学ピックアップ装置とを備えたディスクドライブ装置であって、上記光学ピックアップ装置は、上記信号記録層にビーム光を照射する対物レンズと、上記対物レンズを支持するレンズホルダと、上記対物レンズの周囲を囲むようにレンズホルダに設けられたレンズプロテクタと、レンズプロテクタのディスク側端面、すなわち、光ディスクに対向する端面に形成されたコーティング層とを備え、上記コーティング層は、上記光ディスクより柔らかく且つ滑り性を有する材料で形成されると共に上記対物レンズより光ディスク側に突出し、上記コーティング層はレンズプロテクタのディスク側端面のうち光ディスクの回転に対して対物レンズの上流側に位置する部分を除いた部分に位置していることを特徴とする。
【０１３０】
従って、別の本発明ディスクドライブ装置にあっては、フォーカスサーボが外れて光ディスクと対物レンズが接近することがあっても、光ディスクは対物レンズと衝突する前にコーティング層と接触するので、光ディスクと対物レンズとの衝突を回避することが出来る。
【０１３１】
また、光ディスクはコーティング層と接触するが、該コーティング層は光ディスクより柔らかく且つ滑り性を有する材料で形成されているので、光ディスクの損傷は軽微なもので済む。また、上記コーティング層はレンズプロテクタのディスク側端面のうち光ディスクの回転に対して対物レンズの上流側に位置する部分を除いた部分に位置しているので、レンズプロテクタのディスク側端面に付着していたゴミ等が光ディスクとの衝突によって対物レンズに付着してしまうことを回避することが出来る。
【０１３７】
また、光ディスクは対物レンズ保護面と面接触するため、光ディスクの損傷を軽微なものとすることが出来る。
【図面の簡単な説明】
【図１】本発明ディスクドライブ装置の実施の形態の概要を示す概略斜視図である。
【図２】光学ピックアップ装置の構成の概略を示す概略斜視図である。
【図３】図４と共に第１の実施の形態を示すものであり、本図は要部の斜視図である。
【図４】要部の縦断面図である。
【図５】第２の実施の形態を示す要部の概略斜視図である。
【図６】図７と共に第２の実施の形態の効果を説明するためのものであり、本図は第１の実施の形態が有する問題点を示す要部の断面図である。
【図７】第２の実施の形態が有する利点を説明する要部の断面図である。
【図８】第２の実施の形態の変形例を示す要部の概略斜視図である。
【図９】第３の実施の形態を示す要部の概略斜視図である。
【図１０】コーティング層を形成する場合のマスキングの例を示す概略平面図である。
【図１１】第３の実施の形態の変形例を示す要部の概略斜視図である。
【図１２】図１３と共に第４の実施の形態の元となるレンズホルダを示すものであり、本図は分解斜視図である。
【図１３】斜視図である。
【図１４】図１５と共に第４の実施の形態を示すものであり、本図は斜視図である。
【図１５】縦断面図である。
【図１６】第５の実施の形態を示す要部の概略斜視図である。
【図１７】第６の実施の形態を示す要部の概略斜視図である。
【図１８】光ディスクを図１２及び図１３に示す構造のレンズホルダと衝突させた後における信号の読取テストを行った結果を示すグラフ図である。
【図１９】光ディスクを図１２及び図１３に示す構造の別のレンズホルダと衝突させた後における信号の読取テストを行った結果を示すグラフ図である。
【図２０】光ディスクを第４の実施の形態にかかるレンズホルダと衝突させた後における信号の読取テストを行った結果を示すグラフ図である。
【図２１】図２２と共に第７の実施の形態を示すものであり、本図は斜視図である。
【図２２】平面図である。
【図２３】図２４と共に第８の実施の形態を示すものであり、本図は斜視図である。
【図２４】平面図である。
【符号の説明】
１…ディスクドライブ装置、２…光ディスク、２ａ…信号記録層、２ｃ…ディスク表面、３…ディスク回転装置、４…光学ピックアップ装置、１６…対物レンズ、１７…レーザ光（ビーム光）、２１…レンズホルダ、２１ｂ…ディスク側端面、２４…コーティング層、２２Ａ…レンズホルダ、２１ｃ…段差面（上流側の部分）、２１Ａ′…レンズホルダ、２４ａ…段差部分（上流側の部分）、２１Ｂ…レンズホルダ、２１Ｂ′…レンズホルダ、２１ｃ′…段差面（上流側の部分）、２１ｄ′…段差面（下流側の部分）、２１Ｃ…レンズホルダ、２９…レンズプロテクタ、２９ａ…ディスク側端面、３０…コーティング層、２１Ｄ…レンズホルダ、２９ｂ…段差面（上流側の部分）、２１Ｅ…レンズホルダ、２９ｃ…段差面（下流側の部分）、２１Ｆ…レンズホルダ、２１ｅ…段差面（上流側の部分）、２１ｆ…対物レンズ保護面、２１Ｇ…レンズホルダ、３１ａ…ディスク側端面、３１ｂ…段差面（上流側の部分）、３１ｃ…段差面（下流側の部分）、３１ｆ…対物レンズ保護面
【図１】
0004569800.tif 000002
【図２】
0004569800.tif 000003
【図３】
0004569800.tif 000004
【図４】
0004569800.tif 000005
【図５】
0004569800.tif 000006
【図６】
0004569800.tif 000007
【図７】
0004569800.tif 000008
【図８】
0004569800.tif 000009
【図９】
0004569800.tif 000010
【図１０】
0004569800.tif 000011
【図１１】
0004569800.tif 000012
【図１２】
0004569800.tif 000013
【図１３】
0004569800.tif 000014
【図１４】
0004569800.tif 000015
【図１５】
0004569800.tif 000016
【図１６】
0004569800.tif 000017
【図１７】
0004569800.tif 000018
【図１８】
0004569800.tif 000019
【図１９】
0004569800.tif 000020
【図２０】
0004569800.tif 000021
【図２１】
0004569800.tif 000022
【図２２】
0004569800.tif 000023
【図２３】
0004569800.tif 000024
【図２４】
0004569800.tif 000025